(57)【特許請求の範囲】
【請求項１】
発射対象となる飛翔体と、この飛翔体を収納する発射筒体と、この発射筒体の後端部に取り付けられ、当該発射筒体内部を密閉し、前記飛翔体の発射時に飛翔体に対し推進力を与えるためのブローアウトディスクとを有した弾体と、この弾体を複数装填する装填部とを備えた発射装置に対し、前記装填部内にある複数の弾体のうちで一方の発射時に発生する発射衝撃音から他の弾体の前記ブローアウトディスクを保護する発射装置に使用される遮蔽機構において、
前記複数の弾体におけるそれぞれの発射筒体のブローアウトディスク取り付け部に取り付けられるものであって、前記他の弾体が与える前記発射衝撃音を遮断可能な第１の厚みを有する第１の板部と、この第１の板部の前記ブローアウトディスクに対向する側に取り付けられ、発射筒体内に収納された飛翔体から発生する燃焼ガスにより破損可能となる第２の厚みで、略中央に前記第１の板部の一部を露出させる開口部を有する第２の板部と、この第２の板部の前記ブローアウトディスクに対向する側に取り付けられ、略中央に前記第１の板部の一部を露出させる開口部を有する第３の板部とにより構成されてなる遮蔽板体を備えるようにしたことを特徴とする発射装置に使用される遮蔽機構。
【請求項２】
前記遮蔽板体を構成する第１の板部,第２の板部及び第３の板部は、アルミニウム材で形成されてなることを特徴とする請求項１記載の発射装置に使用される遮蔽機構。
【発明の詳細な説明】
【０００１】
【発明の属する技術分野】
この発明は、飛翔体を発射筒体の内部に収納し、かつこの発射筒体の後端部にブローアウトディスクを取り付けてなる誘導弾を装填部に複数装填する発射装置において、特に、ブローアウトディスクを保護するための遮蔽機構に関する。
【０００２】
【従来の技術】
一般に、誘導弾は、発射対象となる飛翔体を発射筒体の内部に収納し、かつこの発射筒体の後端部にブローアウトディスクを取り付けて構成されている。このブローアウトディスクは、直径約８０mm、極薄肉厚のアルミニウム箔製の板体で形成されており、発射筒体に取り付けられることにより、内部を密閉するものである。
【０００３】
ここで、誘導弾を発射させる動作について説明すると、上記誘導弾に収納された飛翔体は、発射時に、その後部から燃焼ガスをブローアウトディスクに向けて噴出し、その反動を利用して推進力を得る。その後に、ブローアウトディスクは、燃焼ガスを受けることにより、破損されることになる。
【０００４】
ところで、上記誘導弾は、元々単発用のものであるが、図４に示すように、発射装置装填弾としても使用される。この場合、複数の誘導弾４１０〜４１４，４２０〜４２４が互いに隣接して発射装置３００の左右の装填部３１０，３２０に装填され、発射されることになる。なお、図４においては、発射装置３００の後方側を示しており、誘導弾４１０〜４１４，４２０〜４２４発射の際には、紙面裏側に誘導弾４１０〜４１４，４２０〜４２４を発射させることになる。
【０００５】
しかし、発射装置装填弾として使用する場合には、複数の誘導弾４１０〜４１４，４２０〜４２４のうちで一方の発射時に発生される発射衝撃音が、隣接する他方の誘導弾のブローアウトディスクまで破損させてしまうことになる。
【０００６】
【発明が解決しようとする課題】
上記したように、誘導弾を発射装置装填弾として使用する場合には、複数の誘導弾のうちで一方の発射時に発生される発射衝撃音が、他方の誘導弾のブローアウトディスクまでも破損させてしまうという問題を有している。
【０００７】
そこで、この発明の目的は、複数の誘導弾が発射装置の装填部に装填される場合に、一方の誘導弾から発生する発射衝撃音が他方の誘導弾に及ぼす影響を解消でき、かつ誘導弾発射時に良好な推進力が得られる発射装置に使用される遮蔽機構を提供することにある。
【０００８】
【課題を解決するための手段】
この発明は、発射対象となる飛翔体と、この飛翔体を収納する発射筒体と、この発射筒体の後端部に取り付けられ、当該発射筒体内部を密閉し、飛翔体の発射時に飛翔体に対し推進力を与えるためのブローアウトディスクとを有した弾体と、この弾体を複数装填する装填部とを備えた発射装置に対し、装填部内にある複数の弾体のうちで一方の発射時に発生する発射衝撃音から他の弾体のブローアウトディスクを保護する発射装置に使用される遮蔽機構を対象にしている。
【０００９】
そして、上記目的を達成するために、複数の弾体におけるそれぞれの発射筒体のブローアウトディスク取り付け部に取り付けられるものであって、他の弾体が与える発射衝撃音を遮断可能な第１の厚みを有する第１の板部と、この第１の板部のブローアウトディスクに対向する側に取り付けられ、発射筒体内に収納された飛翔体から発生する燃焼ガスにより破損可能となる第２の厚みで、略中央に前記第１の板部の一部を露出させる開口部を有する第２の板部と、この第２の板部のブローアウトディスクに対向する側に取り付けられ、略中央に第１の板部の一部を露出させる開口部を有する第３の板部とにより構成されてなる遮蔽板体を備えるようにしている。
【００１０】
この構成によれば、複数の弾体を発射装置の装填部に装填することに着目しており、複数の弾体におけるそれぞれの発射筒体のブローアウトディスク取り付け部に対し、他の弾体が与える発射衝撃音を遮断可能で、かつ発射筒体に収納された飛翔体から発生する燃焼ガスにより破損されるような厚みを有する遮蔽板体をブローアウトディスクより外側に取り付けるようにしている。
【００１１】
この結果、弾体の静止時に隣接する他の弾体が与える発射衝撃音を上記遮蔽板体が遮蔽して発射筒体内のブローアウトディスクを保護でき、また、弾体の発射時に発射筒体内の飛翔体から発生される燃焼ガスを弾体後方に逃すことができ、これにより良好な推進力が得られる。
【００１２】
【発明の実施の形態】
以下、この発明の一実施の形態について図面を参照して詳細に説明する。
【００１３】
図１は、この発明の一実施の形態における要部の斜視図であり、誘導弾における遮蔽機構の配置関係を分かりやすく示している。なお、この一実施の形態では、要部のみを説明するために、発射装置を図示せずに説明する。
【００１４】
図１において、図中符号１００は遮蔽機構として例えば円板状に形成された遮蔽板体１００であり、誘導弾を構成する円筒状の発射筒体２００に取り付けられる。まず、発射筒体２００について説明する。
【００１５】
発射筒体２００は、その内部に発射対象となる飛翔体（図示せず）を収納しており、また、その図中左端が誘導弾における弾頭部２０１となっており、その図中右端が飛翔体から噴出される燃焼ガスを排出するための排出口部２０２となっている。また、発射筒体２００の内部には、飛翔体から噴出さる燃焼ガスの受け側にブローアウトディスクが配置される。さらに、発射筒体２００の排出口部２０２には、上記遮蔽板体１００が取り付けられる。
【００１６】
次に、遮蔽板体１００について図２を参照して説明する。
【００１７】
図２において、遮蔽板体１００は、その周縁部に設けられた凹部１０１，１０２，１０３が取付金具１１，１２，１３により、発射筒体２００の排出口部２０２に取り付けられる。ここで、取付金具１１，１２，１３は、互いに同一のものであるから、取付金具１１を代表して説明することにする。すなわち、取付金具１１は、図中矢印Ａで示す方向から見ると、略コ字型に形成されており、そのコ字型開口内に排出口部２０２の縁部と遮蔽板体１００の凹部１０１とを保持する。そして、コ字型開口外に設けられたねじ穴１１ａにねじ２１が螺合されることにより、遮蔽板体１００が発射筒体２００に固定されることになる。
【００１８】
図３は、分解斜視図であり、上記遮蔽板体１００の構成をさらに分かりやすく示している。
【００１９】
すなわち、遮蔽板体１００は、例えば外径１５０mmのアルミニウム製基板１１０の排出口部２０２と対向しない面に、例えば外径１２０mm，極薄肉厚のアルミニウム箔リング１２０を接着している。そして、このアルミニウム箔リング１２０のアルミニウム製基板１１０取付面と反対の面に、例えば外径１０５mm，薄肉厚のアルミニウム箔円板１３０を接着している。
【００２０】
また、アルミニウム製基板１１０，アルミニウム箔リング１２０及びアルミニウム箔円板１３０を接着した状態において、アルミニウム製基板１１０及びアルミニウム箔リング１２０は、その略中央部にアルミニウム箔円板１３０の一部を露出させるための開口部１１１，１２１（図中では直径９５mm）を形成している。
【００２１】
すなわち、上記構成による遮蔽板体１００は、図示しない発射装置に装填される複数の誘導弾としての発射筒体２００にそれぞれ取り付けられると、まず第１に、隣接する他の誘導弾から発生する発射衝撃音を薄肉厚のアルミニウム箔円板１３０が遮断して、発射筒体２００内のブローアウトディスクを保護する。
【００２２】
そして、第２に、上記遮蔽板体１００は、誘導弾発射の際に、発射筒体２００内の飛翔体から噴出される燃焼ガスにより、極薄肉厚のアルミニウム箔リング１２０がちぎれて、薄肉厚のアルミニウム箔円板１３０が外側に吹き飛び、燃焼ガスを発射筒体２００後方に逃がす。
【００２３】
なお、上記遮蔽板体１００において、外部から与えられる発射衝撃音を遮蔽するためには、ある値以上の厚さが必要となり、また、燃焼ガスにより破損されるためには、ある値以下の厚さが必要となる。そこで、両方を満足させる手段として、遮蔽板体１００の外側には発射衝撃音を遮断するに足りる厚さを持つアルミニウム箔円板１３０を配置し、内側にはアルミニウム箔円板１３０の面を露出させるアルミニウム製基板１１０及びアルミニウム箔リング１２０を配置するようにして構成する。このため、誘導弾発射時に、飛翔体から噴出される燃焼ガスで、アルミニウム箔リング１２０がちぎれてアルミニウム箔円板１３０を吹き飛ばすことができ、これによりアルミニウム製基板１１０を固定する取付金具１１，１２，１３に不要な力がかかって発射筒体２００自体を破損させずに済むことになる。
【００２４】
したがって、上記実施の形態によれば、複数の誘導弾を発射装置の装填部に装填していることに着目し、複数の誘導弾におけるそれぞれの発射筒体２００の排出口部２０２に対し、他の誘導弾が与える発射衝撃音を遮断可能で、かつ発射筒体２００内に収納された飛翔体から噴出される燃焼ガスにより破損されるような厚みを有する遮蔽板体１００をブローアウトディスクより外側に取り付けるようにしている。この場合、遮蔽板体１００は、発射衝撃音を１００μmの厚みを持つアルミニウム箔円板１３０が遮断し、また、燃焼ガスにより３０μmの厚みを持つアルミニウム箔リング１２０がちぎれるとともに、アルミニウム製基板１１０の開口部１１１及びアルミニウム箔リング１２０の開口部１２１を介して、燃焼ガスがアルミニウム箔円板１３０を直接吹き飛ばすようにしている。
【００２５】
このため、誘導弾の静止時に、隣接する他の誘導弾が与える発射衝撃音から発射筒体２００内のブローアウトディスクを保護でき、また、誘導弾の発射時に、発射筒体２００内の飛翔体から噴出される燃焼ガスを誘導弾後方に逃すことができ、これにより良好な推進力が得られる。
【００２６】
また、上記実施の形態では、上記遮蔽板体１００を構成する部品をアルミニウム材で形成しているが、これは遮蔽板体１００自体の軽量化を図るようにしたものであり、その他の金属で形成するようにしても実施可能である。さらに、上記誘導弾以外のものに遮蔽板体１００を使用するようにしても実施可能である。
【００２７】
なお、この発明は、上記実施の形態の範囲に必ずしも限定されるものではなく、その他この要旨を逸脱しない範囲で種々変形して実施できることはもちろんのことである。
【００２８】
【発明の効果】
以上詳述したようにこの発明によれば、複数の誘導弾が発射装置の装填部に装填される場合に、一方の誘導弾から発生する発射衝撃音が他方の誘導弾に及ぼす影響を解消でき、かつ誘導弾発射時に良好な推進力が得られる発射装置に使用される遮蔽機構を提供することができる。
【図面の簡単な説明】
【図１】この発明の一実施の形態における配置関係を示す斜視図。
【図２】同実施の形態における遮蔽板体を説明するための平面図。
【図３】同実施の形態における遮蔽板体の具体的構成を説明するための分解斜視図。
【図４】従来からある誘導弾の発射装置を示す平面図。
【符号の説明】
１００…遮蔽板体、
１１０…アルミニウム製基板、
１１１…開口部、
１２０…アルミニウム箔リング、
１２１…開口部、
１３０…アルミニウム箔円板、
２００…発射筒体、
２０１…弾頭部、
２０２…排出口部。
【図１】
0003663085.tif 000002
【図２】
0003663085.tif 000003
【図３】
0003663085.tif 000004
【図４】
0003663085.tif 000005